(57)【要約】【課題】撮影された映像情報の中から特定の被写体の映像情報のみを高い精度で高速に検索する。【解決手段】撮影される各被写体は、それぞれ異なる個人識別子であるタグＩＤが予めそれぞれ記憶されたタグＩＤ発信機１０を携帯している。タグＩＤ受信機２１は、タグＩＤ送信機１０から送信された電波を受信し、この電波に含まれているタグＩＤを取り出す。タグＩＤ信号生成部２２は、タグＩＤ受信機２１により受信さたタグＩＤに基づいて、タグＩＤ信号の生成を行う。映像音声記録装置２３は、タグＩＤ発信機１０を携帯した被写体の撮影を行い、撮影された映像音声信号を出力する。タグＩＤ信号付加部２４は、映像音声記録装置２３からの映像音声信号に対して、タグＩＤ信号生成部２２により生成されたタグＩＤ信号をクローズドキャプション信号として付加する。【選択図】      図１
2004336116.tif 000002
【特許請求の範囲】
【請求項１】
映像・音声情報の撮影を行う映像音声撮影装置であって、
被写体を特定するためのＩＤ情報であるタグＩＤが予め記憶されているタグＩＤ送信機から送信された電波を受信し、この電波に含まれているタグＩＤを取り出すタグＩＤ受信機と、
前記タグＩＤ受信機により受信さたタグＩＤに基づいてタグＩＤ信号の生成を行うタグＩＤ信号生成部と、
前記タグＩＤ発信機を携帯した被写体の撮影を行い、撮影された映像音声信号を出力する映像音声記録装置と、
前記映像音声記録装置からの映像音声信号に対して、前記タグＩＤ信号生成部により生成されたタグＩＤ信号を付加するタグＩＤ信号付加部と、
前記タグＩＤ信号付加部によりタグＩＤ信号が付加された映像音声信号を格納する映像音声格納部と、を備えた映像音声撮影装置。
【請求項２】
前記タグＩＤ信号付加部は、前記タグＩＤ信号をクローズドキャプション信号として前記映像音声記録装置からの映像音声信号に対して付加する請求項１記載の映像音声撮影装置。
【請求項３】
映像・音声情報の撮影を行う映像音声撮影方法であって、
被写体を特定するためのＩＤ情報であるタグＩＤが予め記憶されているタグＩＤ送信機から送信された電波をタグＩＤ受信機により受信し、この電波に含まれているタグＩＤを取り出すステップと、
前記タグＩＤ受信機により受信されたタグＩＤに基づいてタグＩＤ信号の生成を行うステップと、
前記タグＩＤ発信機を携帯した被写体が撮影された映像音声信号に対して、生成された前記タグＩＤ信号を付加するステップと、を備えた映像音声撮影方法。
【請求項４】
前記タグＩＤ信号を付加するステップが、前記タグＩＤ信号をクローズドキャプション信号として撮影された前記映像音声信号に対して付加するステップを有する請求項３記載の映像音声撮影方法。
【請求項５】
映像・音声情報の撮影を行う映像音声撮影方法をコンピュータに実行させるためのプログラムが記録された記録媒体であって、
被写体を特定するためのＩＤ情報であるタグＩＤが予め記憶されているタグＩＤ送信機から送信された電波をタグＩＤ受信機により受信し、この電波に含まれているタグＩＤを取り出す処理と、
前記タグＩＤ受信機により受信されたタグＩＤに基づいてタグＩＤ信号の生成を行う処理と、
前記タグＩＤ発信機を携帯した被写体が撮影された映像音声信号に対して、生成された前記タグＩＤ信号を付加する処理と、をコンピュータに実行させるためのプログラムが記録された記録媒体。
【請求項６】
前記タグＩＤ信号を付加する処理が、前記タグＩＤ信号をクローズドキャプション信号として撮影された前記映像音声信号に対して付加する処理を含む請求項５記載の記録媒体。
【請求項７】
映像・音声情報の撮影を行う映像音声撮影方法をコンピュータに実行させるためのプログラムであって、
被写体を特定するためのＩＤ情報であるタグＩＤが予め記憶されているタグＩＤ送信機から送信された電波をタグＩＤ受信機により受信し、この電波に含まれているタグＩＤを取り出す処理と、
前記タグＩＤ受信機により受信されたタグＩＤに基づいてタグＩＤ信号の生成を行う処理と、
前記タグＩＤ発信機を携帯した被写体が撮影された映像音声信号に対して、生成された前記タグＩＤ信号を付加する処理と、をコンピュータに実行させるためのプログラム。
【請求項８】
前記タグＩＤ信号を付加する処理が、前記タグＩＤ信号をクローズドキャプション信号として撮影された前記映像音声信号に対して付加する処理を含む請求項７記載のプログラム。
【発明の詳細な説明】
【０００１】
【発明の属する技術分野】
本発明は、映像・音声情報の撮影を行う映像音声撮影装置および方法に関する。
【０００２】
【従来の技術】
従来の映像撮像装置では、撮影した映像の整理、検索を容易にする目的で、映像の撮影を行う際に撮影した映像に時刻情報や撮影日の情報を付加することが行われていた。また、従来の他の映像撮影装置として、ＧＰＳ（Ｇｌｏｂａｌ  Ｐｏｓｉｔｉｏｎｉｎｇ  Ｓｙｓｔｅｍ）を用いた位置情報を映像情報に付与するものもあった（例えば、非特許文献１参照。）。
【０００３】
しかし、このような映像撮影装置では、画像フレームを１単位として付加情報の付与を行っていて、被写体個別情報単位に識別情報を付与する装置ではなかったため、撮影された映像情報から被写体単位での検索を行うことは困難であった。
【０００４】
一方、他の従来技術として、検索被写体の特徴に基づいて検索を行う人物画像検索システムが提案されていた（例えば、特許文献１参照。）。しかし、この従来の人物画像検索システムでは、被写体が人物の顔の場合、検索精度が悪いという問題や検索速度が遅いという問題があった。
【０００５】
【特許文献１】
特開２００２−１３３４２３号公報
【非特許文献１】
“位置情報付きの写真を撮影・送信できるＧＰＳ対応デジタルカメラ「ＲＤＣ−ｉ７００  ｍｏｄｅｌ    Ｇ」を新発売”、［ｏｎｌｉｎｅ］、平成１５年２月２５日、株式会社リコー、［平成１５年４月１６日検索］、インターネット＜ＵＲＬ：ｈｔｔｐ：／／ｗｗｗ．ｒｉｃｏｈ．ｃｏ．ｊｐ／ｒｅｌｅａｓｅ／ｄｉｇｉｃａｍｅ／ｒｄｃｉ７００ｇ／ｉｎｄｅｘ．ｈｔｍｌ＞
【０００６】
【発明が解決しようとする課題】
上述した従来の映像音声撮影装置では、撮影された映像情報の中から特定の被写体の映像情報のみを高い精度で高速に検索することができないという問題点があった。
【０００７】
本発明の目的は、撮影された映像情報の中から特定の被写体の映像情報のみを高い精度で高速に検索することができる映像音声撮影装置および撮影方法を提供することである。
【０００８】
【課題を解決するための手段】
上記目的を達成するために、本発明は、映像・音声情報の撮影を行う映像音声撮影装置であって、
被写体を特定するためのＩＤ情報であるタグＩＤが予め記憶されているタグＩＤ送信機から送信された電波を受信し、この電波に含まれているタグＩＤを取り出すタグＩＤ受信機と、
前記タグＩＤ受信機により受信さたタグＩＤに基づいてタグＩＤ信号の生成を行うタグＩＤ信号生成部と、
前記タグＩＤ発信機を携帯した被写体の撮影を行い、撮影された映像音声信号を出力する映像音声記録装置と、
前記映像音声記録装置からの映像音声信号に対して、前記タグＩＤ信号生成部により生成されたタグＩＤ信号を付加するタグＩＤ信号付加部と、
前記タグＩＤ信号付加部によりタグＩＤ信号が付加された映像音声信号を格納する映像音声格納部とを備えている。
【０００９】
また、前記タグＩＤ信号付加部は、前記タグＩＤ信号をクローズドキャプション信号として前記映像音声記録装置からの映像音声信号に対して付加するようにしてもよい。
【００１０】
本発明では、被写体を特定するためのタグＩＤ信号を、撮影された映像音声情報に付加するようにしているので、撮影された映像音声情報の中から特定の被写体の映像音声情報のみを高い精度で高速に検索することが可能となる。
【００１１】
【発明の実施の形態】
次に、本発明の実施の形態について図面を参照して詳細に説明する。
【００１２】
図１は本発明の一実施形態の映像音声撮影装置の構成を示すブロック図である。
【００１３】
本実施形態では、被写体を特定するためのＩＤ情報であるタグＩＤが記憶されたタグＩＤ発信機１０を携帯している複数の被写体を、映像音声撮影装置２０により撮影する。
【００１４】
タグＩＤ発信機１０は、各被写体毎に異なる個人識別子であるタグＩＤが予めそれぞれ記憶されていて、記憶されているタグＩＤを近距離無線通信等の電波に含めて送信する小型の無線送信機である。
【００１５】
本実施形態の映像音声撮影装置２０は、タグＩＤ受信機２１と、タグＩＤ信号生成部２２と、映像音声記録装置２３と、タグＩＤ信号付加部２４と、映像音声格納部２５とから構成されている。
【００１６】
タグＩＤ受信機２１は、タグＩＤ送信機１０から送信された電波を受信し、この電波に含まれているタグＩＤを取り出す処理を行っている。タグＩＤ信号生成部２２は、タグＩＤ受信機２１により受信さたタグＩＤに基づいて、タグＩＤ信号の生成を行っている。映像音声記録装置２３は、タグＩＤ発信機１０を携帯した被写体の撮影を行い、撮影された映像音声信号を出力している。
【００１７】
タグＩＤ信号付加部２４は、映像音声記録装置２３からの映像音声信号に対して、タグＩＤ信号生成部２２により生成されたタグＩＤ信号をクローズドキャプション信号として付加する処理を行っている。クローズドキャプション信号とは北米のＴＶ用字幕信号のことで、表示される映像や音声に影響を与えることなく映像音声信号に付加できるようになっている。
【００１８】
映像音声格納部２５は、タグＩＤ信号付加部２４によりタグＩＤ信号が付加された映像音声信号を格納する。
【００１９】
次に、本実施形態の映像音声撮影装置２０の動作について図面を参照して詳細に説明する。
【００２０】
本実施形態の映像音声撮影装置２０により、タグＩＤ発信機１０を携帯している被写体の撮影を行うと、映像音声撮影装置２０の映像音声記録装置２３では映像音声信号が生成される。この撮影が行われるのと同時に、タグＩＤ発信機１０からの電波を受信することによりタグＩＤ受信機２１は、タグＩＤを受信する。タグＩＤ受信機２１により受信されたタグＩＤは、タグＩＤ信号生成部２２においてタグＩＤ信号に変換されタグＩＤ信号付加部２４に出力される。
【００２１】
タグＩＤ信号付加部２４では、クローズドキャプション方式により、映像音声記録装置２３からの映像音声信号に同期させて、タグＩＤ信号生成部２２からのタグＩＤ信号をクローズドキャプション信号として映像音声信号に付加する。
【００２２】
最後に、タグＩＤ信号付加部２４においてタグＩＤ信号が付加された映像音声信号は、映像音声格納部２５において格納される。
【００２３】
本実施形態の映像音声撮影装置２０により撮影された映像音声情報には被写体を特定するためのタグＩＤ信号が付加されている。そのため、撮影された映像音声情報の中からある特定の被写体の映像音声情報のみを検索しようとした場合、その被写体のタグＩＤが付加された映像のみを検索するようにすれば、高い精度で高速に検索することが可能となる。
【００２４】
本実施形態では、被写体を特定するためのタグＩＤ信号をクローズドキャプション信号として映像音声情報に付加した場合を用いて説明したが、本発明はこれに限定されるものではなく、タグＩＤ信号を他の方法により映像音声情報に付加した場合でも同様に本発明を適用することができるものである。
【００２５】
また、図には示されていないが、本実施形態の映像音声撮影装置２０は、上記で説明した映像音声撮影方法を実行するためのプログラムを記録した記録媒体を備えている。この記録媒体は磁気ディスク、半導体メモリまたはその他の記録媒体であってもよい。このプログラムは、記録媒体から映像音声撮影装置２０に読み込まれ、映像音声撮影装置２０の動作を制御する。具体的には、映像音声撮影装置２０内のＣＰＵがこのプログラムの制御により映像音声撮影装置２０のハードウェア資源に特定の処理を行うように指示することにより上記の処理が実現される。
【００２６】
【発明の効果】
以上説明したように、本発明によれば、被写体を特定するためのタグＩＤ信号を、撮影された映像音声情報に付加するようにしているので、撮影された映像音声情報の中から特定の被写体の映像音声情報のみを高い精度で高速に検索することが可能となるという効果を得ることができる。
【図面の簡単な説明】
【図１】本発明の一実施形態の映像音声撮影装置の構成を示すブロック図である。
【符号の説明】
１０    タグＩＤ発信機
２０    映像音声撮影装置
２１    タグＩＤ受信機
２２    タグＩＤ信号生成部
２３    映像音声記録装置
２４    タグＩＤ信号付加部
２５    映像音声格納部
【図１】
2004336116.tif 000003